(57)【要約】【課題】画像形成装置のプログラムやデータを記憶する大容量の記憶装置へのアクセスが不可の場合、ネットワーク接続されたホストコンピュータからプログラムやデータを取得して画像形成装置を動作させる。【解決手段】ネットワークを介して画像形成装置と管理ホストとが接続された画像形成システムにおける画像形成装置を起動する際に、画像形成装置のプログラムを記憶するハードディスクへのアクセスが不可能な場合（Ｓ９０４のＮｏ）、ネットワークを介して管理ホストに接続し（Ｓ９０６）、接続した管理ホストからその管理ホストが記憶する画像形成装置のプログラムを取得し（Ｓ９０８〜Ｓ９１１）、取得した画像形成装置のプログラムに基づいて画像形成装置を動作させる（Ｓ９１３）。【選択図】      図９
2004213112.tif 000002
【特許請求の範囲】
【請求項１】
ネットワークを介して画像形成装置とホストコンピュータとが接続された画像形成システムにおける画像形成装置の動作方法であって、
画像形成装置のプログラムやデータを記憶する記憶手段へのアクセスが不可の場合に、ネットワークを介してホストコンピュータに接続する工程と、
接続したホストコンピュータから前記ホストコンピュータが記憶する前記画像形成装置のプログラムやデータを取得する工程と、
取得した画像形成装置のプログラムやデータに基づき画像形成装置を動作させる工程とを有することを特徴とする画像形成装置の動作方法。
【発明の詳細な説明】
【０００１】
【発明の属する技術分野】
本発明は、ネットワーク接続可能な画像形成装置におけるプログラムやデータの取得に関するものである。
【０００２】
【従来の技術】
近年、複写機に代表される画像形成装置は、デジタル化、プリンタ化、ネットワーク化され、更に画像データを蓄積できるなど多機能（マルチファンクション）化されている。この多機能の画像形成装置において、画像データを提供する側が管理する画像データサーバーから画像データをダウンロードして画像形成装置内に蓄積し、蓄積した画像データを画像形成装置のユーザ操作によって印字出力する画像形成システムが提案されている。
【０００３】
このような大規模な画像形成装置におけるプログラムの容量も飛躍的に大きくなっており、数メガバイトのＲＯＭでは、容量が足りなくなっている。そこで、一般のパーソナルコンピュータ（ＰＣ）に代表されるコンピュータなどと同様に、ハードディスクなどの大容量の記憶装置を用いてプログラムやデータを記憶しておき、そのプログラムやデータをＲＡＭに展開し、画像形成装置を動作させる製品も登場している。
【０００４】
【発明が解決しようとする課題】
しかしながら、ハードディスクに画像形成装置を動作させるプログラムが記憶されているために、電源投入時にハードディスクが起動せずに、そのプログラムを読み出すことができない場合がある。これは、従来、プログラムの記憶に使用されていたＲＯＭなどと比較して、一般的にハードディスクの方が故障する確率が高いためである。
【０００５】
一方、パーソナルコンピュータ（ＰＣ）などのコンピュータでは、フロッピー（登録商標）ディスクドライブやＣＤ−ＲＯＭドライブなどを備えている場合がほとんどであり、復旧するための回避策が考慮されている。
【０００６】
ところが、複写機などの画像形成装置においては、ハードディスクが故障してしまうと、そのハードディスクを交換する他に回避策がなかったため、結果的にサービスマンがメンテナンスに来るまで、画像形成装置を動作させることができず、ダウンタイムが大きくなってしまうという不具合があった。
【０００７】
本発明は、上記課題を解決するためになされたもので、画像形成装置のプログラムやデータを記憶する大容量の記憶装置へのアクセスが不可の場合、ネットワーク接続されたホストコンピュータからプログラムやデータを取得して画像形成装置を動作させることを目的とする。
【０００８】
【課題を解決するための手段】
上記目的を達成するために、本発明は、ネットワークを介して画像形成装置とホストコンピュータとが接続された画像形成システムにおける画像形成装置の動作方法であって、画像形成装置のプログラムやデータを記憶する記憶手段へのアクセスが不可の場合に、ネットワークを介してホストコンピュータに接続する工程と、接続したホストコンピュータから前記ホストコンピュータが記憶する前記画像形成装置のプログラムやデータを取得する工程と、取得した画像形成装置のプログラムやデータに基づき画像形成装置を動作させる工程とを有することを特徴とする。
【０００９】
【発明の実施の形態】
以下、図面を参照しながら本発明に係る実施の形態を詳細に説明する。
【００１０】
尚、本実施形態では、画像形成装置として多機能（マルチファンクション）の複写機を例に説明する。
【００１１】
図１は、本実施形態における画像形成装置の構造を示す側断面図である。図１において、１００は画像形成装置本体、１０２はリーダー部、１８０は原稿給送装置（ＤＦ）である。１９０は後処理装置であり、排紙処理部１９１、Ｚ折り機１９２、製本機１９７からなる。
【００１２】
リーダー部１０２において、１０１は原稿載置台としてのプラテンガラスである。スキャナユニットは原稿照明ランプ１０３や走査ミラー１０４で構成され、不図示のモーターによりスキャナユニットが所定方向に往復走査され、原稿からの反射光が走査ミラー１０４〜１０６を介してレンズ１０７を透過してイメージセンサ部１０８内のＣＣＤセンサに結像する。
【００１３】
装置本体１００において、１０９はレーザやポリゴンスキャナ等で構成された露光制御部であり、リーダー部１０２のイメージセンサ部１０８により電気信号に変換され、後述する所定の画像処理が施された画像信号に基づいて変調されたレーザ光１１０が感光体ドラム１１１に照射される。この感光体ドラム１１１の回りには、１次帯電器１１２、現像器１１３、転写帯電器１１６、前露光ランプ１１４、クリーニング装置１１５が装備されている。
【００１４】
また、この感光体ドラム１１１は不図示のモーターにより図中の矢印の方向に回転しており、１次帯電器１１２により所望の電位に帯電された後、露光制御部１０９からのレーザ光１１０が照射され、静電潜像が形成される。感光体ドラム１１１上に形成された静電潜像は、現像器１１３によって現像され、トナー像として可視化される。
【００１５】
一方、下部に設けられた右カセットデッキ１２１、左カセットデッキ１２２、上段カセット１２３或いは下段カセット１２４からピックアップローラ１２５、１２６、１２７、１２８により給紙された転写紙は、給紙ローラ１２９、１３０、１３１、１３２により本体に送られ、レジストローラ１３３により転写ベルトに給送され、可視化されたトナー像が転写帯電器１１６により転写紙に転写される。転写後の感光体ドラム１１１は、クリーナー装置１１５により残留トナーが清掃され、前露光ランプ１１４により残留電荷が消去される。転写後の転写紙は、分離帯電器１１７により感光体ドラム１１１から分離され、転写ベルト１３４によって定着器１３５に送られる。そして、定着器１３５で、加圧、加熱により定着され、排出ローラ１３６により装置本体１００の外に排出される。
【００１６】
また、本体１００には、例えば４０００枚の転写紙を収納し得るデッキ１５０が装備されている。デッキ１５０のリフタ１５１は、ピックアップローラ１５２に転写紙が常に当接するように転写紙の量に応じて上昇し、転写紙は給紙ローラ１５３によって装置本体１００へと送られる。また、１００枚の転写紙を収容し得るマルチ手差し１５４が装備されている。
【００１７】
更に、１３７は排紙フラッパであり、搬送パス１３８側と排出パス１４３側の経路を切り替える。１４０は下搬送パスであり、排紙ローラ１３６から送り出された転写紙を反転パス１３９を介して転写紙を裏返して再給紙パス１４１に導く。また、左カセットデッキ１２２から給紙ローラ１３０により給紙された転写紙も、再給紙パス１４１に導かれる。１４２は転写紙を画像形成部１１０に再給紙する再給紙ローラである。１４４は排紙フラッパ１３７の近傍に配置され、この排紙フラッパ１３７により排出パス１４３側に切り替えられた転写紙を機外へと排出する排出ローラである。
【００１８】
両面記録（両面複写）時には、排紙フラッパ１３７を上方に上げて、複写済みの転写紙を搬送パス１３８、反転パス１３９、下搬送パス１４０を介して再給紙パス１４１に導く。この時、反転ローラ１４５によって転写紙の後端が搬送パス１３８から全て抜け出し、且つ、反転ローラ１４５に転写紙が噛んだ状態の位置まで反転パス１３９に引き込み、反転ローラ１４５を逆転させることにより搬送パス１４０に送り出す。また、本体から転写紙を反転して排出する時には、排紙フラッパ１３７を上方へ上げ、反転ローラ１４５によって転写紙の後端が搬送パス１３８に残った状態の位置まで反転パス１３９に引き込み、反転ローラ１４５を逆転させることにより、転写紙を裏返して排出ローラ１４４側に送り出す。
【００１９】
１９１は装置本体１００から排出した転写紙をそろえて閉じる排紙処理装置であり、一枚毎に排出される転写紙を処理トレイ１９３で積載してそろえる。一部の画像形成の排出が終了したら、転写紙束をステイプルして排紙トレイ１９３、又は１９４に束で排出する。この排紙トレイ１９４は不図示のモーターで上下に移動制御され、画像形成動作開始前に処理トレイの位置になるように移動する。１９２は排出された転写紙の間に挿入する区切り紙を積載する用紙トレイであり、１９６は排出された転写紙をＺ折りにするＺ折り機である。そして、１９７は排出された転写紙一部をまとめてセンター折りしステイプルを行うことによって製本を行う製本機であり、製本された紙束は排出トレイ１９８に排出される。
【００２０】
図２は、本実施形態における操作部の構成を示す外観図である。図２において、２０１は画像形成装置のモード設定や各種状態表示などを行うタッチパネル式のＬＣＤ表示部である。２０２は１０キーであり、０から９までの数字の入力と設定をデフォルト値に戻すためのクリアキーが設けられている。２０３はユーザモードキーであり、画像形成装置における各種機能のデフォルト値の設定、詳細は後述するＩＰ（Internet Protocol）などのネットワークアドレスの設定や、カレンダー回路に対する時間の設定などを行う。
【００２１】
２０４はスタートキーであり、ユーザがコピー機能やプリント機能、スキャン機能などのジョブを実行するときに押下される。２０５はストップキーであり、ユーザがコピー機能やプリント機能、スキャン機能などのジョブを中止したいときに押下される。２０６はソフト電源キーであり、画像形成システムのモーターなどの各負荷を落としたいが、ＣＰＵやネットワークなどは起動しておきたいときに使用される。
【００２２】
２０７は節電モードキーであり、定着器１３５の温調制御をユーザモードキー２０３で設定されたレベルで温調制御するためにユーザが押下するためのキーである。２０８はリセットキーであり、ＬＣＤ表示部２０１や１０キー２０２などで設定された機能をデフォルト値にリセットするためのキーである。この操作部２００により、画像形成装置をユーザが使用することが可能となる。
【００２３】
図３は、画像形成装置における制御回路の概略構成を示す図である。尚、この他にも、ＤＦ１８０や排紙処理装置１９０などを制御するための回路があるが、ここでの詳細な説明は省略する。
【００２４】
図３において、３０１はブートＲＯＭであり、後述する制御プログラムを含む画像形成装置の初期設定などを行う起動プログラムが記憶されている。３０２はＲＡＭであり、後述するＣＰＵによって実行される制御プログラムが展開される領域や作業領域等を含むメモリである。３０３は上述した操作部２００との間のＭＭＩ（マン・マシン・インターフェース）であり、操作部２００で入力された設定情報は後述するＣＰＵ３０４へ通知される。３０４はＣＰＵであり、ＲＡＭ３０２に展開された制御プログラムに従って本装置全体を制御する。
【００２５】
３０５はネットワーク・インターフェース（Ｉ／Ｆ）であり、ローカルエリアネットワーク（ＬＡＮ）などのネットワークに接続され、後述する管理ホストから制御プログラムやフォントデータ、詳述しないが画像データなどを受け取る。３０６はハードディスク（ＨＤＤ）であり、装置本体１００を動作させたり、操作部２００からの設定を反映させるためのプログラムや、ＬＣＤ表示部２０１のフォントデータなどの大容量のデータを保存する。また、上述のプログラムは、ブートＲＯＭ３０１の起動プログラムによりＨＤＤ３０６からＲＡＭ３０２へと展開され、ＣＰＵ３０４によって実行される。
【００２６】
次に、装置本体１００がネットワークＩ／Ｆ３０５を介してネットワーク接続される際に、そのネットワークアドレスを設定する操作について説明する。
【００２７】
図４は、画像形成装置と管理ホストがローカルエリアネットワーク（ＬＡＮ）上で接続されているときの様子を示す図である。図４に示すように、ＬＡＮ上に管理ホスト１台と画像形成装置が３台接続され、各画像形成装置は図３に示したネットワークＩ／Ｆ３０５を介してＬＡＮに接続されている。
【００２８】
尚、本実施形態における管理ホストは、パーソナルコンピュータ（ＰＣ）又はワークステーションなどのホストコンピュータであり、内部にはハードディスク（ＨＤＤ）などの大容量の記憶装置を含み、後述する画像形成装置のプログラムやフォントデータを格納しているものである。
【００２９】
図５は、操作部２００のＩＰアドレスを設定する画面を示す図である。これは、装置本体１００がネットワークＩ／Ｆ３０５を介してネットワーク接続されたときの一般にインターネット環境で使用されているＩＰアドレスを設定するためのＬＣＤ表示部２０１の一例である。
【００３０】
図５において、５００は操作部２００において、ユーザーモードキー２０３が押下されたときに表示される設定項目のうち、装置本体のネットワークアドレスの設定を行う画面である。一般的にインターネット環境に接続される場合、ＩＰ（Internet Protocol）が用いられるため、本実施形態でもＩＰアドレスを設定するものとする。
【００３１】
５０１はＩＰアドレス設定欄であり、ネットワークＩ／Ｆ３０５を介して図４に示すようにネットワーク接続された装置本体のＩＰアドレスを１０キー２０２によって指定することが可能である。５０２はネットワークＩ／Ｆ３０５を介して図４に示すようにネットワーク接続された装置本体から外部へのネットワークへ接続するためのゲートウェイを設定するデフォルトゲートウェイ設定欄であり、１０キー２０２によってそのアドレスを指定することが可能である。５０３はネットワークＩ／Ｆ３０５を介して図４に示すようにネットワーク接続された装置本体の属するネットワークにおいて、ＩＰアドレスのどのネットワークに属するかを識別させるためのサブネットマスクを設定する欄であり、１０キー２０２によってそのサブネットマスク値を指定することが可能である。
【００３２】
５０４はＯＫキーであり、管理ホストのＩＰアドレスが設定されたとき、その値を確定するためのキーである。このキーを押下することにより設定を反映してユーザモードキー２０３を押下したときと同じ画面に戻る。５０５はキャンセルキーであり、設定使用とした管理ホストのＩＰアドレスをキャンセルするときに押下するキーである。このキーを押下することにより設定を反映せずに、ユーザモードキー２０３を押下したときと同じ画面に戻る。
【００３３】
次に、装置本体から図４に示すようにネットワーク接続された画像形成装置を管理する管理ホストのＩＰアドレスを設定する操作について説明する。
【００３４】
図６は、管理ホストのＩＰアドレスを設定する画面を示す図である。ここでは、装置本体のＩＰアドレスの設定と同様に、操作部２００のＬＣＤ表示部２０１から設定するものである。
【００３５】
図６において、６００は操作部２００においてユーザモードキー２０３が押下されたときに表示される設定項目のうち、管理ホストのネットワークアドレスの設定を行う画面である。６０１はＩＰアドレス設定欄であり、ネットワークＩ／Ｆ３０５を介して図４に示すようにネットワーク接続された管理ホストのＩＰアドレスを１０キー２０２によって指定することが可能である。６０２はＯＫキーであり、管理ホストのＩＰアドレスが設定されたとき、その値を確定するためのキーである。このキーを押下することにより、設定を反映してユーザモードキー２０３を押下したときと同じ画面に戻る。６０３はキャンセルキーであり、設定使用とした管理ホストのＩＰアドレスをキャンセルするときに押下するキーである。このキーを押下することにより、設定を反映せずにユーザモードキー２０３を押下したときと同じ画面に戻る。
【００３６】
次に、画像形成装置のＨＤＤ３０６におけるデータの配置と管理ホストの持つＨＤＤにおけるデータの配置について説明する。
【００３７】
図７は、画像得形成装置のＨＤＤ内のデータ構造を示す図である。図７に示すように、このＨＤＤ３０６内には装置本体１００を動作させるためのプログラム７０１、操作部２００のＬＣＤ表示部２０１へ表示させるためのフォントデータ７０２が格納されている。この他にも、装置本体１００がスキャナなどから読み込んだ画像データを格納するボックス機能を備えている場合は、その画像データを蓄積することが可能で、各画像データの管理情報である画像管理データ７０３や画像データ７０４そのものが蓄積される。
【００３８】
図８は、管理ホストが持っているＨＤＤ内のデータ構造を示す図である。図８に示すように、このＨＤＤ内には管理ホストを動作させるためのオペレーティングシステム（ＯＳ）や管理ホストで動作可能なアプリケーションソフト８０１が格納されている。また、この他にも、本実施実施形態における装置本体１００を動作させるための画像形成装置プログラム８０２やＬＣＤ表示部２０１へ表示させるための画像形成装置フォントデータ８０３などが格納されている。
【００３９】
以上の構成からなる画像形成装置と管理ホストが図４に示すようにネットワーク接続された画像形成システムにおいて、画像形成装置を起動時に、ＨＤＤへのアクセスができない場合に管理ホストに格納されている画像形成装置プログラムデータを取得して起動させる処理について説明する。
【００４０】
図９は、本実施形態における起動時の処理を示すフローチャートである。まず画像形成装置本体１００への電源が投入されると、ステップＳ９０１において、ＣＰＵ３０４がブートＲＯＭ３０１に格納されている起動時のプログラムを実行し、ハードウェアの初期設定を行う。そして、ステップＳ９０２において、画像形成装置がＬＡＮに接続するためのネットワークＩ／Ｆ３０５に対して、図５に示すＩＰアドレス設定画面によりＩＰアドレス、デフォルトゲートウェイ、サブネットマスクなどを設定する。
【００４１】
次に、ステップＳ９０３において、ＣＰＵ３０４からアクセス可能となるようにＨＤＤ３０６の初期設定を行う。そして、ステップＳ９０４において、上述のステップＳ９０３で初期設定されたＨＤＤ３０６に対して、図７に示す画像形成装置のプログラム７０１やフォントデータ７０２へのアクセスをチェックする。ここで、アクセス可能と判定した場合はステップＳ９０５へ進み、ＨＤＤ３０６からプログラム７０１やフォントデータ７０２を読み出す。そして、ステップＳ９１３において、ＲＡＭ３０２に展開したプログラム７０１による制御へと移行し、画像形成装置の動作初期設定を行った後、スタンバイとなり、画像形成動作を可能とする。
【００４２】
また、ステップＳ９０４において、アクセスが不可と判定した場合はステップＳ９０６へ進み、図６に示す管理ホストのＩＰアドレスを設定し、ネットワークＩ／Ｆ３０５を介して管理ホストへの接続を行う。このとき、ＬＡＮケーブルがはずれている、或いは管理ホストがダウンしているなどの可能性もある。更に、図８に示すような画像形成装置が必要とするプログラム８０２やフォントデータ８０３が管理ホストに無い可能性もある。
【００４３】
そこで、ステップＳ９０７において、管理ホストへの接続を確認するために、接続チェックを行う。このとき、画像形成装置と管理ホストがＬＡＮで接続可能かどうか、また管理ホスト内に画像形成装置プログラム８０２やフォントデータ８０３が格納されているかをチェックする。ここで、管理ホストへの接続が不可であった場合はステップＳ９０９へ進み、画像形成装置の操作部２００のＬＣＤ表示部２０１にその旨のエラー表示を行う。
【００４４】
また、ステップＳ９０７において、接続可能であった場合はステップＳ９０８へ進み、管理ホストから画像形成装置へプログラム８０２を転送する準備、即ちネットワークＩ／Ｆ３０５からＲＡＭ３０２に対して、プログラム８０２を展開するための設定を行う。具体的には、ＲＡＭ３０２上に上述のプログラムを受け取る領域を確保し、ネットワークＩ／Ｆ３０５からＲＡＭ３０２へのデータバスの接続などをＣＰＵ３０４が行う。
【００４５】
その後、上述のステップＳ９０８における転送準備が完了すると、ステップＳ９１０において、管理ホストに対して、プログラム８０２の転送開始を要求し、プログラム８０２の転送が開始される。ステップＳ９１１において、プログラム８０２の転送がすべて終了するとステップＳ９１２へ進み、ＨＤＤ３０６がアクセス不可であったため、そのアラーム表示を操作部２００のＬＣＤ表示部２０１に行う。また、図７に示す画像管理データ７０３や画像データ７０４も読み出すことが不可であるため、その機能を使用不可とする。そして、ステップＳ９１３において、ＲＡＭ３０２に展開された管理ホストからのプログラム８０２による制御へと移行し、画像形成装置の動作初期設定を行った後、スタンバイとなり、画像形成動作を可能とする。
【００４６】
尚、本実施形態では、電源投入時に、ハードディスクに障害が発生した場合に、ネットワーク接続された管理ホストから、管理ホストが格納している画像形成装置のプログラムを取得して画像形成装置を起動させているが、画像形成中に、ハードディスクに障害が発生し、フォントデータを管理ホストから取得する場合にも本発明を適用できることは言うまでもない。
【００４７】
以上説明したように、本実施形態によれば、プログラムやデータをＨＤＤなどの大容量不揮発性メモリに記憶している画像形成装置において、ＨＤＤで障害が発生したとき、管理ホストからプログラムやデータを取得可能な画像形成装置を提供できる。
【００４８】
これにより、ＨＤＤが故障しているときも画像形成装置を使用することが可能となり、ユーザに対してダウンタイムを軽減することが可能となる。
【００４９】
尚、本発明は複数の機器（例えば、ホストコンピュータ，インターフェース機器，リーダ，プリンタなど）から構成されるシステムに適用しても、１つの機器からなる装置（例えば、複写機，ファクシミリ装置など）に適用しても良い。
【００５０】
また、本発明の目的は前述した実施形態の機能を実現するソフトウェアのプログラムコードを記録した記録媒体を、システム或いは装置に供給し、そのシステム或いは装置のコンピュータ（ＣＰＵ若しくはＭＰＵ）が記録媒体に格納されたプログラムコードを読出し実行することによっても、達成されることは言うまでもない。
【００５１】
この場合、記録媒体から読出されたプログラムコード自体が前述した実施形態の機能を実現することになり、そのプログラムコードを記憶した記録媒体は本発明を構成することになる。
【００５２】
このプログラムコードを供給するための記録媒体としては、例えばフロッピー（登録商標）ディスク，ハードディスク，光ディスク，光磁気ディスク，ＣＤ−ＲＯＭ，ＣＤ−Ｒ，磁気テープ，不揮発性のメモリカード，ＲＯＭなどを用いることができる。
【００５３】
また、コンピュータが読出したプログラムコードを実行することにより、前述した実施形態の機能が実現されるだけでなく、そのプログラムコードの指示に基づき、コンピュータ上で稼働しているＯＳ（オペレーティングシステム）などが実際の処理の一部又は全部を行い、その処理によって前述した実施形態の機能が実現される場合も含まれることは言うまでもない。
【００５４】
更に、記録媒体から読出されたプログラムコードが、コンピュータに挿入された機能拡張ボードやコンピュータに接続された機能拡張ユニットに備わるメモリに書込まれた後、そのプログラムコードの指示に基づき、その機能拡張ボードや機能拡張ユニットに備わるＣＰＵなどが実際の処理の一部又は全部を行い、その処理によって前述した実施形態の機能が実現される場合も含まれることは言うまでもない。
【００５５】
【発明の効果】
以上説明したように、本発明によれば、画像形成装置のプログラムやデータを記憶する大容量の記憶装置へのアクセスが不可の場合、ネットワーク接続されたホストコンピュータからプログラムやデータを取得して画像形成装置を動作させることができる。
【図面の簡単な説明】
【図１】本実施形態における画像形成装置の構造を示す側断面図である。
【図２】本実施形態における操作部の構成を示す外観図である。
【図３】画像形成装置における制御回路の概略構成を示す図である。
【図４】画像形成装置と管理ホストがローカルエリアネットワーク（ＬＡＮ）上で接続されているときの様子を示す図である。
【図５】操作部２００のＩＰアドレスを設定する画面を示す図である。
【図６】管理ホストのＩＰアドレスを設定する画面を示す図である。
【図７】画像得形成装置のＨＤＤ内のデータ構造を示す図である。
【図８】管理ホストが持っているＨＤＤ内のデータ構造を示す図である。
【図９】本実施形態における起動時の処理を示すフローチャートである。
【図１】
2004213112.tif 000003
【図２】
2004213112.tif 000004
【図３】
2004213112.tif 000005
【図４】
2004213112.tif 000006
【図５】
2004213112.tif 000007
【図６】
2004213112.tif 000008
【図７】
2004213112.tif 000009
【図８】
2004213112.tif 000010
【図９】
2004213112.tif 000011